(57)【特許請求の範囲】
【請求項１】
穿刺ロッド（101）とシース管（102）とから構成される消音装置付きトロカール（100）であって、
前記トロカールのシース管（102）のエンドシール（1）は、上蓋（11）と、径方向シール組立体（12）と、消音装置（13）と、下蓋（14）とを含み、
前記上蓋（１１）と前記下蓋（１４）とは、これらの間に前記径方向シール組立体（１２）及び前記消音装置（１３）が取り付けられるように、互いに合わせられ、
前記消音装置（13）は、弾性変形可能な弾性体であり、一端が径方向シール組立体（12）に取り付けられ、他端が前記下蓋（14）に取り付けられ、
前記消音装置（１３）は、前記径方向シール組立体（１２）を持ち上げ、前記上蓋（１１）と前記径方向シール組立体（１２）の上圧板との間の距離を非常に小さくし、それによって手術用機械が前記径方向シール組立体（１２）を通って動くときに衝突音を低減し、
前記径方向シール組立体（12）は、前記上蓋（11）と前記下蓋（14）との間に取り付けられる、ことを特徴とする消音装置付きトロカール。
【請求項２】
前記消音装置（13）は医療用弾性材料で製造された薄肉管状構造の弾性体である、ことを特徴とする請求項１に記載の消音装置付きトロカール。
【請求項３】
前記消音装置（13）の薄肉管状構造の弾性体は弾性支持脚（13-1）を少なくとも2つ含む、ことを特徴とする請求項２に記載の消音装置付きトロカール。
【請求項４】
前記消音装置（13）は医療用弾性材料で製造されたバネ構造の弾性体である、ことを特徴とする請求項１に記載の消音装置付きトロカール。
【請求項５】
前記バネ構造の弾性体である消音装置（13）は、一端が前記径方向シール組立体（12）の取付穴（12-0）内に取り付けられ、他端が前記下蓋（14）の取付穴（14-0）内に取り付けられる、ことを特徴とする請求項４に記載の消音装置付きトロカール。
【発明の詳細な説明】
【技術分野】
【０００１】
本発明は、腹腔鏡下外科手術用器械に関し、特に、腹腔鏡下手術に用いるトロカールに関する。
【背景技術】
【０００２】
腹腔鏡下手術は、益々広く適用されてきている。医原性感染を回避するために、腹腔鏡下手術に用いる使い捨てトロカール（Trocar）の使用量も益々大きくなり、使用性能を保証する上で、構造を簡略化させ、コストを低下させ、性能を向上させるといった成り行きは、既にトロカールの改善の方向になった。
【０００３】
手術を容易にするために、トロカールは、5mmの手術用器械を使用できるだけでなく、また、10mm、或いは12mmの手術用器械を使用することもできるように求められている。こうして、トロカールの径方向シールリングの器械貫通孔の直径は、一般に4mmより小さい。直径が大きい手術用器械、例えば10mm、或いは12mmの手術用器械が4mmの径方向シールリングの手術用器械貫通孔を貫通すると、径方向シールリングは大きい抱持力が生じて、手術用器械が往復動する時に、径方向シールリング組立体の上圧板が上蓋に衝突し、或いは径方向シールリング組立体の下圧板が下蓋に衝突し、衝突音を発して騒音を形成し、医者を邪魔することがある。従来技術のトロカールには、手術用器械が往復動する時に衝突音を発するデメリットがあるため、改善する必要がある。
【発明の概要】
【０００４】
消音装置付きトロカールであって、前記トロカール100は穿刺ロッド101とシース管102とから構成される。前記トロカールのシース管102のエンドシール1は、上蓋11と、径方向シール組立体12と、消音装置13と、下蓋14と、を含み、前記消音装置13は、弾性変形可能な弾性体であり、一端が径方向シール組立体12に取り付けられ、他端が前記下蓋14に取り付けられ、前記径方向シール組立体12は、前記上蓋11と前記下蓋14との間に取り付けられる。
【０００５】
さらに、前記消音装置13は、医療用弾性材料で製造された薄肉管状構造の弾性体である。
前記消音装置13の薄肉管状構造の弾性体は、弾性支持脚13-1を少なくとも2つ含む。
なお、前記消音装置13は、医療用弾性材料で製造されたバネ構造の弾性体である。
前記バネ構造の弾性体である消音装置13は、一端が前記径方向シール組立体12の取付穴12-0内に取り付けられ、他端が前記下蓋14の取付穴14-0内に取り付けられる。
【０００６】
本発明の技術的解決手段の核心は、以下のことにある。
前記消音装置13は、弾性変形可能な弾性体であり、前記径方向シール組立体12を上へ持ち上げ、前記径方向シール組立体12の上圧板12-1を前記エンドシール1の上蓋11と接触させ、又は前記上蓋11と前記径方向シール組立体12の上圧板12-1との間の隙間を非常に小さくし、一般に0.5mmよりも小さくすることで、手術用器械103を外へ後退させる時に、前記上圧板12-1と前記上蓋11との間に激しい衝突がなく、衝突音の発生を避ける。手術用器械103を内へ前進させる時に、弾性体による前記消音装置13の緩衝作用により、前記径方向シール組立体12の下圧板12-5と前記エンドシール1の下蓋14との激しい衝突を避けて、衝突音の発生を避けて、手術用器械103が往復動する時に、衝突音を発することがなく、消音の目的を実現する。
【０００７】
消音装置付きトロカールであって、本発明のトロカールのシース管102のエンドシール1は、上蓋11と、径方向シール組立体12と、消音装置13と、下蓋14とを含み、前記消音装置13は、弾性変形可能な弾性体であり、一端が径方向シール組立体12に取り付けられ、他端が前記下蓋14に取り付けられ、前記径方向シール組立体12は、前記上蓋11と前記下蓋14との間に取り付けられる。前記消音装置13が前記径方向シール組立体12を持ち上げるため、前記上蓋11と前記径方向シール組立体の上圧板12-1との間の隙間を小さくし、手術用器械103を外へ後退させる時に発する衝突音を避ける。それとともに、手術用器械103を内へ前進させる時に、前記消音装置13の緩衝作用により、手術用器械を内へ前進させる時に衝突音の発生を避ける。こうして、手術用器械103がトロカール内で往復動する時に、衝突音を発することがなく、消音の目的を実現する。
【図面の簡単な説明】
【０００８】
【図１】本発明の消音装置付きトロカールの構造模式図である。
【図１−１】図1の消音装置付きトロカールのエンドシールの構造模式図である。
【図１−２】図1-1の分解図である。
【図１−３】図1の消音装置付きトロカールにおける消音装置の構造模式図である。
【図１−４】図1-3の底面図である。
【図１−５】図1-3の底面図である。
【図１−６】図1-5のA-A断面図である。
【図１−７】本発明の消音装置付きトロカールの動作原理図である。
【図２】消音装置と径方向ロート型シールリングが全体的に製造された本発明のトロカールの構造模式図である。
【図２−１】図2の消音装置付きトロカールにおけるエンドシールの構造模式図である。
【図２−２】図2-1の分解図である。
【図２−３】全体的に製造された消音装置及び径方向ロート型シールリングの構造模式図である。
【図２−４】図2-3の底面図である。
【図２−５】図2-3の底面図である。
【図２−６】図2-5のB-B断面図である。
【図３】バネ構造の消音装置を含む本発明のトロカールの構造模式図である。
【図３−１】図3の消音装置付きトロカールにおけるエンドシールの構造模式図である。
【図３−２】図3-1の分解図である。
【図４】コイルバネ構造の消音装置を含む本発明のトロカールの構造模式図である。
【図４−１】図4の消音装置付きトロカールにおけるエンドシールの構造模式図である。
【図４−２】図4-1の分解図である。
【０００９】
前記図面において、
符号100は本発明の消音装置付きトロカールであり、符号101は本発明のトロカールの穿刺ロッドであり、符号102は本発明のトロカールのシース管であり、符号103は手術用器械である。符号1は本発明の消音装置付きトロカールのシース管におけるエンドシールであり、符号2は本発明の消音装置付きトロカールのシース管におけるスリーブである。
【００１０】
符号11はエンドシールにおける上蓋であり、符号12はエンドシールにおける径方向シール組立体であり、符号13はエンドシールにおける消音装置であり、符号14はエンドシールにおける下蓋である。
【００１１】
符号12-0は径方向シール組立体における消音装置の取付穴であり、符号12-1は径方向シール組立体の上圧板であり、符号12-2は径方向シール組立体のシールリング保護シートであり、符号12-3は径方向シール組立体の位置決め板であり、符号12-4は径方向シール組立体の径方向ロート型シールリングであり、符号12-5は径方向シール組立体の下圧板であり、符号12-6は波形シールリングである。
【００１２】
符号13-1は消音装置の弾性支持脚である。
【００１３】
符号14-0はエンドシールの下蓋における消音装置の取付穴である。
【発明を実施するための形態】
【００１４】
実施例1：薄肉管状構造の消音装置を含む本発明のトロカール
薄肉管状構造の消音装置を含む本発明のトロカール100は、穿刺ロッド101とシース管102とから構成され、前記シース管102はエンドシール1及びスリーブ2を含み、前記エンドシール1はスリーブ2の上端に取り外し可能に取り付けられる。前記エンドシール1は、上蓋11と、径方向シール組立体12と、消音装置13と、下蓋14と、を含む。前記消音装置13は、弾性変形可能な弾性体であり、一端が径方向シール組立体12に取り付けられ、他端が前記下蓋14に取り付けられ、前記径方向シール組立体12は、前記上蓋11と前記下蓋14との間に取り付けられる。
【００１５】
前記径方向シール組立体12は、上圧板12-1と、シールリング保護シート12-2と、位置決め板12-3と、径方向ロート型シールリング12-4と、下圧板12-5と、波形シールリング12-6とを備える。前記径方向ロート型シールリング12-4は、前記位置決め板12-3と前記下圧板12-5との間に取り付けられ、前記位置決め板12-3と前記下圧板12-5との間は固定接続される。前記シールリング保護シート12-2は、前記位置決め板12-3と上圧板12-1との間に取り付けられ、前記波形シールリング12-6は、前記位置決め板12-3と上圧板12-1との間に取り付けられ、前記位置決め板12-3と上圧板12-1との間は固定接続される。
【００１６】
前記消音装置13は、医療用弾性材料で製造された薄肉管状構造の弾性体である。本実施例において、前記消音装置13の薄肉管状構造の弾性体は、弾性支持脚13-1を4つ含み、弾性医療用シリカゲルで製造される。装着時に、前記消音装置13の上端を径方向シール組立体12の位置決め板12-3にかぶせて、前記消音装置13の下端の4つの弾性支持脚13-1を前記エンドシール1における下蓋14に載置する。そして、前記上蓋11と前記下蓋14とを合わせ、前記径方向シール組立体12及び前記消音装置13を前記上蓋11と前記下蓋14との間に取り付ける。
【００１７】
前記消音装置13は、前記径方向シール組立体12を持ち上げ、前記径方向シール組立体12の上圧板12-1を前記エンドシール1の上蓋11と接触させ、又は前記上蓋11と前記径方向シール組立体12の上圧板12-1との間の隙間を非常に小さくし、一般に0.5mmよりも小さくすることで、手術用器械103を外へ後退させる時に衝突音の発生を避ける。それとともに、手術用器械103を内へ前進させる時に、前記消音装置13の緩衝作用により、手術用器械を内へ前進させる時に前記下圧板12-5と前記下蓋14との間に衝突音の発生を避ける。こうして、手術用器械103がトロカールシース管102内で往復動する時に、衝突音を発することがなく、消音の目的を実現する。
【００１８】
実施例2：消音装置及び径方向ロート型シールリングが全体的に製造された本発明のトロカール
本実施例と実施例1の相異点は、前記消音装置13及び前記径方向シール組立体12の径方向ロート型シールリング12-4が全体製造プロセスで全体的構造に製造され、部品を減少するだけでなく、また装着を便利にすることにある。この際、前記消音装置13の上端は前記径方向シール組立体12に接続され、前記消音装置13の下端は実施例1と同様に前記エンドシール1の下蓋14に載置されている。
【００１９】
前記径方向シール組立体12は、上圧板12-1と、シールリング保護シート12-2と、位置決め板12-3と、径方向ロート型シールリング12-4と、下圧板12-5と、波形シールリング12-6とを備える。前記径方向ロート型シールリング12-4は、前記位置決め板12-3と前記下圧板12-5との間に取り付けられ、前記位置決め板12-3と前記下圧板12-5との間は固定接続される。前記シールリング保護シート12-2は、前記位置決め板12-3と上圧板12-1との間に取り付けられ、前記波形シールリング12-6は、前記位置決め板12-3と上圧板12-1との間に取り付けられ、前記位置決め板12-3と上圧板12-1との間は固定接続される。
【００２０】
前記消音装置13は、医療用弾性材料で製造された薄肉管状構造の弾性体である。本実施例において、前記消音装置13の薄肉管状構造の弾性体は、弾性医療用シリカゲルで、前記径方向ロート型シールリング12-4の製造と一緒に全体的に製造される。装着時に、前記消音装置13の上端を前記径方向シール組立体12に固定し、前記消音装置13の下端の4つの弾性支持脚13-1を前記エンドシール1における下蓋14に載置する。そして、前記上蓋11と前記下蓋14とを合わせ、前記径方向シール組立体12及び前記消音装置13を前記上蓋11と前記下蓋14との間に取り付ける。
【００２１】
前記消音装置13が前記径方向シール組立体12を持ち上げるため、前記上蓋11と前記径方向シール組立体の上圧板12-1との間の隙間を非常に小さくする。手術用器械が往復動する時に、前記上圧板12-1と上蓋11との間、及び前記下圧板12-5と前記下蓋14との間に衝突音の発生を避けて、消音の目的を実現する。
【００２２】
実施例3：バネ構造の消音装置を含む本発明のトロカール
本実施例と実施例1の相異点は、前記消音装置13がバネ構造の弾性体を用いることにある。本実施例において、バネを4本使用して、前記消音装置13を構成する。前記バネの一端は前記径方向シール組立体12の位置決め板12-3に設けられた取付穴12-0に取り付けられ、前記バネの他端は前記下蓋14の取付穴14-0に取り付けられる。
【００２３】
前記消音装置13が前記径方向シール組立体12を持ち上げるため、前記上蓋11と前記径方向シール組立体の上圧板12-1との間の隙間を非常に小さくする。手術用器械が往復動する時に、前記上圧板12-1と上蓋11との間、及び前記下圧板12-5と前記下蓋14との間で発する衝突音を避けて、消音の目的を実現する。
【００２４】
実施例4：コイルバネ構造の消音装置を含む本発明のトロカール
本実施例と実施例3の相異点は、前記消音装置13がコイルバネ構造の弾性体を1本用いることにある。本実施例において、コイルバネを1本使用して、前記消音装置13を構成する。前記コイルバネの一端は前記径方向シール組立体12の位置決め板12-3に設けられた取付穴12-0に取り付けられ、前記バネの他端は前記下蓋14の取付穴14-0に取り付けられる。
【００２５】
前記消音装置13が前記径方向シール組立体12を持ち上げるため、前記上蓋11と前記径方向シール組立体の上圧板12-1との間の隙間を非常に小さくする。手術用器械が往復動する時に、前記上圧板12-1と上蓋11との間、及び前記下圧板12-5と前記下蓋14との間で発する衝突音を避けて、消音の目的を実現する。
【００２６】
本願に開示、説明された構造の替わりに、他の同じ効果の構造を使用可能であり、また、本発明に紹介された実施例は、本発明を実現する唯一の構造ではないことに注意すべきである。本発明の好ましい実施例は、既にここで紹介、説明されたが、これらの実施例が、例示として説明するためのものに過ぎないことは、当業者にとって明らかである。当業者であれば、本発明を逸脱することなく、様々な変更、改善及び置換を行うことができる。本発明にかかる特許請求の範囲の精神及び範囲によって、本発明の保護範囲を限定すべきである。
【図１】
0006420907.tif 000002
【図１−１】
0006420907.tif 000003
【図１−２】
0006420907.tif 000004
【図１−３】
0006420907.tif 000005
【図１−４】
0006420907.tif 000006
【図１−５】
0006420907.tif 000007
【図１−６】
0006420907.tif 000008
【図１−７】
0006420907.tif 000009
【図２】
0006420907.tif 000010
【図２−１】
0006420907.tif 000011
【図２−２】
0006420907.tif 000012
【図２−３】
0006420907.tif 000013
【図２−４】
0006420907.tif 000014
【図２−５】
0006420907.tif 000015
【図２−６】
0006420907.tif 000016
【図３】
0006420907.tif 000017
【図３−１】
0006420907.tif 000018
【図３−２】
0006420907.tif 000019
【図４】
0006420907.tif 000020
【図４−１】
0006420907.tif 000021
【図４−２】
0006420907.tif 000022